(57)【特許請求の範囲】
【請求項１】
複数の階層を有し、
下階の外壁面が上階の外壁面より後退して、上階の下方に外部空間が形成され、軒天井部が形成され、
前記軒天井部の少なくとも内側寄りの位置には、前記上階の室内と前記外部空間が連通する開口通路が形成され、前記軒天井部は、少なくとも卓越風を正面に受ける向きに設けられており、
前記開口通路には、開閉式の窓が形成されている、建物。
【請求項２】
前記軒天井部は、前記卓越風が吹く方向に対して建物の後面側にも設けられており、当該軒天井部の外側寄りの位置には、前記上階の室内と前記外部空間が連通する開口通路が形成されている、請求項１に記載の建物。
【請求項３】
前記開口通路の上方には、落下防止部材が設けられている、請求項１または２に記載の建物。
【請求項４】
前記落下防止部材は、固定式家具である、請求項３に記載の建物。
【発明の詳細な説明】
【技術分野】
【０００１】
本発明は、良好な通風を得て、なおかつプライバシーを確保し得る建物に関する。
【背景技術】
【０００２】
建物の通風を得るための窓は、建物の外壁面に設けるのが一般的である。しかしながら、外壁面の窓の開口面積を広げると、その分プライバシーの確保が問題となる。
【０００３】
プライバシーを確保するための方法として、天窓を設けることが考えられる（特許文献１参照）。
【先行技術文献】
【特許文献】
【０００４】
【特許文献１】特開２００７−１３８６９３号公報
【発明の概要】
【発明が解決しようとする課題】
【０００５】
しかしながら、天窓は、建物の屋根やベランダなどに設置場所が限られ、外壁面に設ける場合のような通風性は得られない。また、天窓も外壁面の窓も、雨天の場合には、雨水が室内に入り込みやすいため、十分に開放できず、良好な通風が得られない。
【０００６】
本発明はかかる点に鑑みてなされたものであり、天候にかかわらず良好な通風が得られ、なおかつプライバシーを確保できる建物を提供することのその目的とする。
【課題を解決するための手段】
【０００７】
上記目的を達成するための本発明は、建物が複数の階層を有し、下階の外壁面が上階の外壁面より後退して、上階の下方に外部空間が形成され、軒天井部が形成され、前記軒天井部の少なくとも内側寄りの位置には、前記上階の室内と前記外部空間が連通する開口通路が形成され、前記軒天井部は、少なくとも卓越風を正面に受ける向きに設けられており、前記開口通路には、開閉式の窓が形成されている建物である。
【０００８】
本発明によれば、下階の外壁面に衝突した風が上昇し、軒天井部の開口通路を通って室内に流入するので、建物の良好な通風が得られる。また、軒天井部の開口通路に窓があるので、雨天であっても窓を開放でき、建物の良好な通風が得られる。また、窓から室内が見えにくいので、プライバシーも確保できる。
【０００９】
前記軒天井部は、少なくとも卓越風を正面に受ける向きに設けられている。かかる場合、軒天井部の開口通路に入り込む外気が増えるので、建物の通風性をさらに向上できる。
【００１０】
前記卓越風を正面に受ける向きに設けられた前記軒天井部の開口通路は、前記軒天井部の内側寄りに形成されている。かかる場合、下階の外壁面に衝突した風が開口通路に入りやすくなり、建物の通風性を向上できる。
【００１１】
前記軒天井部は、前記卓越風が吹く方向に対して建物の後面側にも設けられていてもよい。かかる場合、卓越風が正面側の軒天井部の開口通路に流入した後、風が室内を通って建物の後面側から外部に流出するので、建物の通風性及び換気性を向上できる。
【００１２】
前記卓越風が吹く方向に対して建物の後面側に設けられた前記軒天井部の開口通路は、前記軒天井部の外側寄りに形成されていてもよい。かかる場合、建物の室内を外壁の内面に沿って流れた空気が、開口通路から効果的に排出される。よって、建物の通風性を向上できる。
【００１３】
前記開口通路の窓の上方には、落下防止部材が設けられていてもよい。かかる場合、安全性を確保できる。
【００１４】
前記落下防止部材は、固定式家具であってもよい。かかる場合、安全性を確保しつつ、室内の床面積を有効に利用できる。
【００１５】
前記窓は、光透過性を有するものであってもよい。かかる場合、室内の光が窓を通じて外部空間に漏れるので、外部照明の代わりに用いることができ、防犯上好ましい。
【発明の効果】
【００１６】
本発明によれば、天候にかかわらず建物の良好な通風を得て、なおかつプライバシーを確保できる。
【図面の簡単な説明】
【００１７】
【図１】建物の概略を模式的に示す平面図である。
【図２】正面側の軒天井部の構成を模式的に示す縦断面図である。
【図３】後面側の軒天井部の構成を模式的に示す縦断面図である。
【図４】落下防止部材のある軒天井部を模式的に示す縦断面図である。
【図５】落下防止部材を示す説明図である。
【図６】落下防止部材が固定式家具である場合の軒天井部を模式的に示す縦断面図である。
【発明を実施するための形態】
【００１８】
以下、図面を参照して、本発明の好ましい実施の形態について説明する。図１は、本実施の形態に係る建物１を模式的に示す平面図である。
【００１９】
建物１は、例えば平面から見て長方形状を有する。建物１は、複数の階層を有し、例えば１階の下階１０の外壁面１１が、２階である上階１２の外壁面１３より後退して、上階１２の下方に外部空間Ａが形成され、軒天井部１４が形成されている。軒天井部１４は、卓越風Ｃを正面に受ける向きに形成されている。
【００２０】
また、卓越風Ｃの吹く方向Ｘに対して建物１の後面側にある下階１０の外壁面１１は、上階１２の外壁面１３より後退し、上階１２の下方に外部空間Ｂが形成され、軒天井部１５が形成されている。よって、卓越風Ｃの吹く方向Ｘに沿った建物１の対向する両側面に、軒天井部１４、１５が形成されている。なお、建物１の外壁には、例えばＡＬＣ（Autoclaved Light-weight Concrete；軽量気泡コンクリート）が用いられている。
【００２１】
軒天井部１４、１５には、それぞれ上階１２の室１２ａ内と外部空間Ａ、Ｂが連通する開口通路２０、２１が形成されている。開口通路２０、２１には、それぞれ開閉式の窓２２、２３が形成されている。
【００２２】
開口通路２０は、例えば図２に示すように外部空間Ａの天井板３０から上階１２の室１２ａの床板３１まで上下方向に貫通している。開口通路２０は、例えば建物１の幅方向（Ｘ方向の直角方向）に沿って長い平面形状が長方形状に形成されている。開口通路２０は、例えば軒天井部１４の下階１０の外壁面１１側（内側）寄りに設けられている。窓２２は、例えば軒天井部１４の天井板３０に設けられ、閉鎖時に水平に位置し、開放時には、内側の端部を基端として先端側が上方に回動して開くことができる。また、窓２２は、例えばガラス製で、光透過性を有している。
【００２３】
開口通路２１は、図３に示すように外部空間Ｂの天井板３０から上階１２の室１２ａの床板３１まで上下方向に貫通している。開口通路２１は、例えば建物１の幅方向に沿って長い平面形状が長方形状に形成されている。開口通路２１は、例えば軒天井部１５の上階１２の外壁面１３側（外側）寄りに設けられている。窓２３は、例えば軒天井部１５の天井板３０に設けられ、閉鎖時に水平に位置し、開放時には、内側の端部を基端として先端側が上方に回動して開くことができる。また、窓２３は、例えばガラス製で、光透過性を有している。
【００２４】
かかる構成の建物１では、図１に示すように卓越風Ｃが、建物１の正面の下階１０の外壁面１１に衝突して上昇し、軒天井部１４の窓２２から開口通路２０を通じて上階１２の室１２ａ内に流入する。室１２ａ内に流入した空気は、室１２ａ内の内壁及び天井に沿って流れ、建物１の後面側の内壁に沿って下降する。下降した空気は、建物１の後面側の開口通路２１を通じて窓２３から外部に流出する。
【００２５】
本実施の形態によれば、下階１０の外壁面１１に衝突した風が上昇し、軒天井部１４の開口通路２０を通って室１２ａ内に流入するので、建物１の良好な通風が得られる。また、軒天井部１４の開口通路２０に窓２２があるので、雨天であっても窓２２を開放でき、建物１の良好な通風が得られる。また、窓２２から室１２ａ内が見えにくいので、プライバシーも確保できる。さらに、窓２２に雨水が当たらないので、窓２２の閉鎖時の水密性を厳しく確保する必要がなく、より安価な構成にすることができる。
【００２６】
軒天井部１４は、卓越風Ｃを正面に受ける向きに設けられているので、軒天井部１４の開口通路２０に入り込む外気が増える。よって、建物１の通風性をさらに向上できる。
【００２７】
卓越風Ｃを正面に受ける向きに設けられた軒天井部１４の開口通路２０は、軒天井部１４の内側寄りに形成されているので、下階１０の外壁面１１に衝突した風が開口通路２０に入りやすくなり、建物１の通風性をさらに向上できる。
【００２８】
軒天井部１５は、卓越風Ｃが吹く方向Ｘに対して建物１の後面側に設けられているので、卓越風Ｃが正面側の軒天井部１４の開口通路２０に流入した後、空気が室１２ａ内を通って建物１の後面側から外部に流出する。これにより、建物１の通風性及び換気性を向上できる。
【００２９】
卓越風Ｃが吹く方向Ｘに対して建物１の後面側に設けられた軒天井部１５の開口通路２１は、軒天井部１５の外側寄りに形成されているので、建物１の室１２ａ内を外壁の内面に沿って流れた空気が、開口通路２１から効果的に排出される。よって、建物１の通風性を向上できる。
【００３０】
窓２２、２３は、光透過性を有するものであるので、上階１２の室１２ａ内の光が外部空間Ａ、Ｂに漏れる。これにより窓２２、２３を外部照明として用いることもでき、防犯上好ましい。特に、外部空間Ａ、Ｂが、玄関アプローチ、ガレージなど人が行き来する外部通路に利用される場合には、防犯上のメリットが大きい。
【００３１】
上記実施の形態において、開口通路２０、２１の窓２２、２３の上方に落下防止部材が設けられていてもよい。例えば図４、図５に示すように落下防止部材５０は、床板３１に取り外し自在な長方形状の格子であってもよい。かかる場合、人や物が落下することなく、安全性を確保できる。
【００３２】
上記落下防止部材５０は、固定式家具であってもよい。例えば図６に示すように椅子であってもよい。かかる場合、安全性を確保しつつ、室内の床面積を有効に利用できる。なお、固定式家具として、その他、棚、机等であってもよい。
【００３３】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３４】
例えば以上の実施の形態において、窓２２、２３は、先端側が回転して開くものであったが、スライド式などの他の開閉形式のものであってもよい。また、以上の実施の形態では、窓２２、２３は、軒天井部１４の天井板３０に設けられていたが、床板３１に設けられていてもよいし、天井板３０と床板３１の間に設けられていてもよい。また、窓２２、２３は、水平姿勢から垂直姿勢に回動して開くものに限られず、斜めの姿勢から垂直姿勢或いは水平姿勢に回動して開くものであってもよい。さらに、窓２２、２３は、ガラス製に限られず、樹脂などの光透過性を有する他の素材、あるいは光透過性を有さない素材であってもよい。また、以上の実施の形態では、建物１の両側の二か所に軒下天井部１４、１５が形成されていたが、片側であってもよいし、三か所以上であってもよい。また、下階１０が１階で上階１２が２階であったが、建物が３階以上を有し、下階１０、上階１２それぞれ他の階層であってもよい。
【産業上の利用可能性】
【００３５】
本発明は、天候にかかわらず建物の良好な通風を得て、なおかつプライバシーを確保する際に有用である。
【符号の説明】
【００３６】
１  建物
１０  下階
１１  外壁面
１２  上階
１２ａ  室
１３  外壁面
１４、１５  軒下天井部
２０、２１  開口通路
２２、２３  窓
Ａ、Ｂ  外部空間
Ｃ  卓越風
Ｘ  卓越風の方向
【図１】
0005964059.tif 000002
【図２】
0005964059.tif 000003
【図３】
0005964059.tif 000004
【図４】
0005964059.tif 000005
【図５】
0005964059.tif 000006
【図６】
0005964059.tif 000007